(57)【要約】      （修正有）【課題】供水漏れの問題および放出スチーム量調整の課題を解決できるスチームアイロンを提供する。【解決手段】加熱手段によりそのアイロン部を加熱しながら貯水タンクからの供水をスチームに気化させて前記アイロン部の底面にある蒸気噴出孔から噴出し、布類ののばし作業をすることができるスチームアイロンにおいて、前記貯水タンクと前記蒸気噴出孔との間に、中間室と蒸気発生室とを順序に有し、前記貯水タンクと前記中間室との間に、前記アイロン部の温度に基づいて前記貯水タンクからの給水を制御する制御弁が設けられている。前記制御弁が二つ設けられ、且つそれぞれが異なる温度で作動されるように構成されている。【選択図】図２
0003123390.tif 000002
【実用新案登録請求の範囲】
【請求項１】
加熱手段によりそのアイロン部を加熱しながら貯水タンクからの供水をスチームに気化させて前記アイロン部の底面にある蒸気噴出孔から噴出し、布類ののばし作業をすることができるスチームアイロンにおいて、
前記貯水タンクと前記蒸気噴出孔との間に、中間室と蒸気発生室とを順序に有し、
前記貯水タンクと前記中間室との間に、前記アイロン部の温度に基づいて前記貯水タンクからの給水を制御する制御弁が設けられていることを特徴とするスチームアイロン。
【請求項２】
前記貯水タンクは前記中間室の上に位置し、前記中間室は前記蒸気発生室の上に位置していることを特徴とする請求項１に記載のスチームアイロン。
【請求項３】
前記制御弁は、前記貯水タンクと前記中間室とを上下連通させる連通管と、その一端が弾性手段により前記連通管の前記中間室への開口を常時閉に塞ぐようになっており、他の一端が前記中間室を貫通して下に露出している弁体と、前記弁体の下に前記アイロン部の温度に従って変形して前記弁体を下から押圧して作動させ、前記弾性手段と共に前記開口を開閉するバイメタル手段とからなっていることを特徴とする請求項２に記載のスチームアイロン。
【請求項４】
前記連通管はポリフェニレンサルファイド材から、前記中間室はシリコーンゴム材からなっていることを特徴とする請求項３に記載のスチームアイロン。
【請求項５】
前記中間室と前記蒸気発生室との間に、外方の上から手作業で前記中間室からの供水を供出させる開閉弁が設けられていることを特徴とする請求項２に記載のスチームアイロン。
【請求項６】
前記開閉弁は、前記中間室と前記蒸気発生室との間の連通ポートと、前記連通ポートの前記蒸気発生室への開口を塞ぐ弁体と、外方の上から操作されて前記弁体を作動し、前記開口を開閉する操作棒とからなっていることを特徴とする請求項５に記載のスチームアイロン。
【請求項７】
前記加熱手段は、前記バイメタルが変形して前記開口を全開させる温度において加熱がオフになり、且つリセットによりオンに復帰することができるように構成されていることを特徴とする請求項３に記載のスチームアイロン。
【請求項８】
前記バイメタルは、温度の上昇に従って段々変形し、且つ１３５±２℃に到達すると前記開口を全開させる変形量を有するものからなっていることを特徴とする請求項７に記載のスチームアイロン。
【請求項９】
前記加熱手段は、前記アイロン部の温度が１３５＋２℃の範囲内を超えるとオフになり、前記アイロン部の温度が１１０±２℃まで下がると自動リセットにより再びオンに復帰するように構成されていることを特徴とする請求項８に記載のスチームアイロン。
【請求項１０】
前記中間室の近傍に、他の中間室を有し、前記貯水タンクと前記他の中間室との間に、前記制御弁と同じ構成を有する上、前記アイロン部の温度に基づいて前記貯水タンクからの給水を制御する他の制御弁が設けられていることを特徴とする請求項３に記載のスチームアイロン。
【請求項１１】
前記いずれの制御弁におけるバイメタル手段も、その周縁部が下方へ撓んでいる上、ほぼ水平に置かれている平面形のものであって前記アイロン部の温度が所定の温度範囲内に到達するや否やの瞬間に前記周縁部が上方へ変形してほぼ平らな状態になることができるバイメタルと、その一端が前記バイメタルの周縁部に固定され、他端が前記一端から全閉状態にある該当の制御弁における弁体に下から当接するまで延伸していて変形後の前記バイメタルの周縁部に押圧されて周縁部の変形量を拡大して移動し、該当の制御弁における弁体を押圧して作動させることができる押え片とからなっていることを特徴とする請求項１０に記載のスチームアイロン。
【請求項１２】
前記押え片はニッケルメッキの鉄材からなっていることを特徴とする請求項１１に記載のスチームアイロン。
【請求項１３】
前記制御弁のバイメタルは、アイロン部の温度が１７０±２℃の範囲内に到達する瞬間に変形するものであり、
前記他の制御弁のバイメタルは、アイロン部の温度が１３５±２℃の範囲内に到達する瞬間に変形するものであり、
また、前記いずれの制御弁における押え片も、そのバイメタルにおける周縁部の変形量をその連通管の開口を全閉から全開にさせたり全開から全閉にさせたりする移動量に拡大することができるように配置構成されていることを特徴とする請求項１２に記載のスチームアイロン。
【請求項１４】
前記加熱手段は、
前記アイロン部の温度が１７０＋２℃の範囲内を超えるとオフになり、前記アイロン部の温度が１４５±２℃まで下がると自動リセットにより再びオンに復帰する第１のモードと、
前記アイロン部の温度が１３５＋２℃の範囲内を超えるとオフになり、前記アイロン部の温度が１１０±２℃まで下がると自動リセットにより再びオンに復帰する第２のモードとを有し、
且つ、この第１及び第２のモードが外方から選択されるように構成されており、
それにより、前記第１のモードが選択されると、前記貯水タンクからの供水は前記制御弁及び前記他の制御弁のいずれによっても行われ、前記第２のモードが選択されると、前記貯水タンクからの供水は前記他の制御弁だけにより行われることを特徴とする請求項１３に記載のスチームアイロン。
【考案の詳細な説明】
【技術分野】
【０００１】
本考案は、そのアイロン部の底部から蒸気を噴出しながら布類ののばし作業を行うスチームアイロンに関するものである。
【背景技術】
【０００２】
従来から、加熱手段によりそのアイロン部を加熱しながら貯水タンクからの供水をスチームに気化させ、布類ののばし作業中に前記アイロン部の底面にある蒸気噴出孔から噴出し、布類ののばしを促進・助成することができるスチームアイロンがある。しかし、このような従来のスチームアイロンでは、貯水タンクからの給水作業は、手動によらなければならないので、供水が多すぎ、一時蒸気発生室による蒸発が不充分であってその一部がそのまま蒸気噴出孔から漏れることが時々ある。
【０００３】
ところで、布類の皺の状態またはその繊維の性質に合わせて、放出スチーム量が少しでも自動調整できれば良いなぁとも多くの使用者に考えられている。
【考案の開示】
【考案が解決しようとする課題】
【０００４】
上記に鑑みて、本考案は、前記供水漏れの問題が解決できるスチームアイロンを提供しようとすることをその第１の目的とする。
【０００５】
本考案は、前記放出スチーム量調整の課題も解決できるスチームアイロンを提供しようとすることをその第２の目的とする。
【課題を解決するための手段】
【０００６】
前記第１の目的を達成するために、考案者は、研究に研究を重ねた結果、供水と蒸発との間にバッファエリアを設け、且つ供水をアイロン部の温度に基づいて制御すれば、前記目的が簡単に果たされるという発想に到達した。
【０００７】
前記発想に基づき、本考案は、まず、加熱手段によりそのアイロン部を加熱しながら貯水タンクからの供水をスチームに気化させて前記アイロン部の底面にある蒸気噴出孔から噴出し、布類ののばし作業をすることができるスチームアイロンにおいて、前記貯水タンクと前記蒸気噴出孔との間に、中間室と蒸気発生室とを順序に有し、前記貯水タンクと前記中間室との間に、前記アイロン部の温度に基づいて前記貯水タンクからの給水を制御する制御弁が設けられているスチームアイロンを提供する。
【０００８】
また、前記第２の目的を達成するために、前記制御弁が二つ設けられ、且つそれぞれが異なる温度で作動されるように構成されているスチームアイロンを提供する。
【考案の効果】
【０００９】
上記構成によるスチームアイロンは、貯水タンクと蒸気発生室との間に供水のバッファエリアとしての中間室が設けられ、且つ、貯水タンクと中間室との間にアイロン部の温度に基づいて貯水タンクから中間室への供水を制御する制御弁が設けられているため、中間室内の貯水がいつも蒸気発生室の蒸発可能な範囲内に貯蔵されるので、中間室から蒸気発生室への供水はいかに行われても供水の漏れが絶対に発生しない。
【００１０】
また、上記構成によるスチームアイロンは、前記制御弁が二つ設けられ、且つそれぞれが異なる温度で行われるように構成された場合、制御弁は温度の設定により布類の皺の状態またはその繊維の性質に合わせて制御弁の一つか二つかを選択してオープンし、バファエリアの貯水量及びバファエリアから蒸気発生室への供水を変化して放出スチームの可能量をいつも選択温度及びそのアイロン部の実際温度に基づいて自動的に調整することができる。
【考案を実施するための最良の形態】
【００１１】
以下、添付図面を参照して本考案の好適な実施の形態を詳細に説明する。なお、図中、似ている部品には、同一の参照符号を付する。
【００１２】
まず、図１〜図３を参照しながら本考案の第１の実施形態のスチームアイロンを説明する。図１は本実施形態の分解斜視図であり、図２は本実施形態のバイメタルが変形し始める前の断面図であり、図３は本実施形態のバイメタルが既に最大限に変形した後の断面図である。
【００１３】
この実施形態のスチームアイロンは、図１及び図２に示すように、従来のスチームアイロンと同じく、加熱手段２３によりそのアイロン部２を加熱しながら貯水タンク４からの供水をスチームに気化させてアイロン部２の底面２１にある蒸気噴出孔２１１から噴出し、布類ののばし作業をすることができるものであるが、図示をもっと詳しくみると、前記貯水タンク４と前記蒸気噴出孔２１１との間に、供水のバファエリアとしての中間室５５と供水を蒸発させるための蒸気発生室２２とが介在しており、且つ中間室５５が貯水タンク４の下に、蒸気発生室２２が中間室５５の下に位置しているのみならず、貯水タンク４と中間室５５との間に、アイロン部２の温度に基づいて貯水タンク４からの位置水頭による給水を制御する制御弁５も設けられている。
【００１４】
また、制御弁５は、貯水タンク４と中間室５５とを上下連通させる連通管５１と、その一端が連通管５１の内部に位置し、且つ該一端にシールリング５２が付設されている上、弾性手段５３により連通管５１の下の中間室５５への開口５１１を常時閉に塞ぐようになっており、他の一端が下へ延伸してから中間室５５を貫通して中間室外に露出している弁体５４と、弁体５４の下に前記アイロン部２の温度に従って変形して弁体５４を下から押圧して作動させ、前記弾性手段５３の弾力と対抗して開口５１１を開閉するバイメタル３とからなっている。
【００１５】
この実施形態の連通管５１はポリフェニレンサルファイド材からなっており、中間室５５はシリコーンゴム材からなっているが、耐熱性が妥当であれば、他の材料が使用されても良い。
【００１６】
なお、図示のように、中間室５５と蒸気発生室２２との間に開閉弁６が設けられている。この開閉弁６は、中間室５５と蒸気発生室２２との間の連通ポート５６と、連通ポート５６の蒸気発生室２２への開口５６１を塞ぐ弁体６２と、スチームアイロンの上面にある操作輪６３（図１参照）の回動操作により外方から調整されて弁体６２（図２参照）を上下作動し、開口５６１を開閉する操作棒６１とからなっている。
【００１７】
そして、図３をも参照すると、バイメタル３は、温度の上昇に従って段々と変形する上、１３５±２℃に到達すると開口５１１を全開させる変形量を有するものからなっている。そして、加熱手段２３は、アイロン部２の温度が１３５＋２℃の範囲内を超えるとオフになり、アイロン部２の温度が１１０±２℃まで下がると自動リセットにより再びオンに復帰するように構成されている。
【００１８】
この実施形態のスチームアイロンを使用する時、まず加熱手段２３をオンにさせ、そして、若干の時間を待ってから手で操作輪６３を少々回動し蒸気噴出孔２１１から蒸気の出る状況をみてアイロン部２の温度がすでにのばし作業に適する温度に上がったかどうかを判断し、適当だと判断した後、のばし作業をし始める。
【００１９】
のばし作業中に、加熱手段２３が引き続いて加熱し、且つアイロン部２の温度も加熱手段２３の加熱により上がり続けるので、制御弁５の開度はバイメタル３の変形量増加に追って段々大きくなると共に、貯水タンク４から中間室５５への供水も当然段々多くなるが、その時、蒸気発生室２２の温度もアイロン部２の温度上昇に従って高くなるので、中間室５５から蒸気発生室２２への供水はいかに操作輪６３の操作により行われても、蒸気発生室２２で十分に蒸発され、供水の蒸気噴出孔２１１からの漏れが絶対に発生しない。
【００２０】
そして、加熱手段２３は、アイロン部２の温度が１３５＋２℃の範囲内を超えるとオフになり、そうすると、アイロン部２の温度がこの最高温度から段々下がるので、制御弁５の開度はバイメタル３の変形量減少に従って段々小さくなり、貯水タンク４から中間室５５への供水も当然段々少なくなり、その時、蒸気発生室２２の温度もアイロン部２の温度に従って低くなるが、中間室５５から蒸気発生室２２への供水の可能な量も貯水タンク４から中間室５５への供水の減少に従って減少するので、この蒸気発生室２２への供水はいかに操作輪６３の操作により行われても、蒸気発生室２２で十分に蒸発され、供水の蒸気噴出孔２１１からの漏れが絶対に発生しない。
【００２１】
そして、アイロン部２の温度が１１０±２℃まで下がると、制御弁５の開度がゼロになる一方、加熱手段２３が自動リセットにより再びオンに復帰し、その時、貯水タンク４から中間室５５への供水が絶たれ、中間室５５内の僅少な貯水が操作輪６３の回動操作により完全に蒸気発生室２２内に注入されても、蒸気発生室２２の１１０±２℃位ある余熱により十分に蒸発されうるので、供水の蒸気噴出孔２１１からの漏れが絶対に発生しない。
【００２２】
また、その時から、アイロン部２の温度が再度段々と上昇するので、電源がオフに切替えられなければ、前記のような１１０±２℃から１３５＋２℃までの操作が繰り返され、のばし作業をし続けることができる。
【００２３】
この実施形態には、その特徴を明らかに説明するために、他の従来技術に属する付け加えを開示していないが、実施の場合、もちろん需要に応じて例えば電源指示灯とか１１０℃及び１３５℃それぞれの指示灯を付加することが好ましい。
【００２４】
次に、図４〜図７を参照しながら本考案の第２の実施形態のスチームアイロンを説明する。図４は本実施形態の分解斜視図であり、図５は本実施形態の下面図であり、図６は本実施形態のバイメタルが変形し始める前の断面図であり、図７は本実施形態のバイメタルが既に最大限に変形した後の断面図である。
【００２５】
この実施形態のスチームアイロンは、中間室と、貯水タンクから中間室への制御弁とをそれぞれもう一つ付け加え、且つ二つの制御弁も他のタイプのものを使用した外、他の構成は前記第１の実施形態のスチームアイロンとほぼ同じなので、前記第１の実施形態のスチームアイロンに関する説明を基に説明する。
【００２６】
まず、図４〜図６を参照すると、この実施形態のスチームアイロンは、前記第１の実施形態のスチームアイロンと同じ構成関係のように、蒸気発生室２２と、蒸気噴出孔２１１、加熱手段２３と、中間室５５と、貯水タンク４と、開閉弁６などを有する。しかし、図示をもっと詳しくみると、中間室５５の近傍に、また、それと同じ構造を有する他の中間室５７が設けられている。
【００２７】
そして、貯水タンク４と中間室５５及び中間室５７との間にそれぞれ制御弁５ａ及び制御弁５ｂが設けられている。
【００２８】
制御弁５ａ及び制御弁５ｂは、すべて、前記第１の実施形態のスチームアイロンにおける制御弁５と構成がほぼ同じであるが、バイメタル手段のタイプが違うので、作用も少々異なる。以下は、それらのバイメタル手段及びバイメタル手段の違いによる作用だけを説明する。
【００２９】
制御弁５ａ及び制御弁５ｂそれぞれにおけるバイメタル手段は、その周縁部が下方へ撓んでいる上、ほぼ水平に置かれている平面形のものであってアイロン部２の温度が所定の温度範囲内に到達するや否やの瞬間に前記周縁部が上方へ変形してほぼ平らな状態になることができるバイメタル３ａ（３ｂ）と、その一端が前記バイメタル３ａ（３ｂ）の周縁部に固定し、他端が前記一端から全閉状態にある該当の制御弁５ａ（５ｂ）における弁体５４に下から当接するまで延伸していて変形後のバイメタル３ａ（３ｂ）の周縁部に押圧されて周縁部の変形量を拡大して移動し、該当の制御弁５ａ（５ｂ）における弁体５４を押圧して作動させることができる押え片３１（３２）とからなっている。
【００３０】
なお、この実施形態の押え片３１、３２はニッケルメッキの鉄材からなっているが、他の材料が使用されても良い。
【００３１】
そして、制御弁５ａのバイメタル３ａは、アイロン部２の温度が１７０±２℃の範囲内に到達する瞬間に変形するものであり、制御弁５ｂのバイメタル３ｂは、アイロン部２の温度が１３５±２℃の範囲内に到達する瞬間に変形するものであり、また、いずれの制御弁５ａ（５ｂ）における押え片３１（３２）も、さらに図７を参照して示されるように、該当のバイメタル３ａ（３ｂ）における周縁部の変形量をその連通管５１ａ（５１ｂ）の開口５１１ａ（５１１ｂ）を全閉から全開に（温度が上がる時）または全開から全閉に（温度が下がる時）させる移動量に拡大することができるように配置構成されている。
【００３２】
この実施形態における加熱手段２３は、アイロン部２の温度が１７０＋２℃の範囲内を超えるとオフになり、アイロン部２の温度が１４５±２℃まで下がると自動リセットにより再びオンに復帰する第１のモードと、アイロン部２の温度が１３５＋２℃の範囲内を超えるとオフになり、アイロン部２の温度が１１０±２℃まで下がると自動リセットにより再びオンに復帰する第２のモードとを有し、且つ、この第１及び第２のモードがスチームアイロンの外方から選択されるように構成されており（図にみえず）、それにより、前記第１のモードが選択されると、貯水タンク４からの供水は制御弁５ａ及び他の制御弁５ｂのいずれにもより行われ、前記第２のモードが選択されると、貯水タンク４からの供水は制御弁５ｂだけにより行われる。なお、この実施形態のスチームアイロンにおける開閉弁６は中間室５５及び中間室５７それぞれから蒸気発生室２２への通路の合流部に設けられている。
【００３３】
第２の実施形態のスチームアイロンの他の構造は、前記第１の実施形態のと同じなので、ここでその説明を省く。
【００３４】
また、第２の実施形態のスチームアイロンを使用する時、まず前記第１のモードまたは前記第２のモードを選択するかを決定しなければならない。
【００３５】
第１のモードを選択すると、加熱手段２３がオンになり、そして、若干の時間を待ってから手で操作輪６３を少々回動し蒸気噴出孔２１１から蒸気の出る状況をみてアイロン部２の温度がすでにのばし作業に適する温度に上がったかどうかを判断し、適当だと判断した後、のばし作業をし始める。
【００３６】
のばし作業中に、加熱手段２３が引き続いて加熱し、且つアイロン部２の温度も上がり続けるので、アイロン部２の温度が１３５＋２℃の範囲内に到達すると、制御弁５ｂがバイメタル３ｂの押え片３２を介して拡大された瞬間変形によって全開されると共に、貯水タンク４から中間室５７への供水をし、その時、蒸気発生室２２の温度もアイロン部２の温度上昇に従って１３５＋２℃ほどに高くなるので、中間室５７から蒸気発生室２２への供水はいかに操作輪６３の操作により行われても、蒸気発生室２２で十分に蒸発される。その時、加熱手段２３が引き続いて加熱し、且つアイロン部２の温度も上がり続ける。
【００３７】
アイロン部２の温度が１７０＋２℃の範囲内に到達すると、制御弁５ａがバイメタル３ａの押え片３１を介して拡大された瞬間変形によって瞬間全開されると共に、貯水タンク４から中間室５５への供水をし、その時、蒸気発生室２２の温度もアイロン部２の温度上昇に従って１７０＋２℃ほど高くなるので、蒸気発生室２２への供水はいかに操作輪６３の操作により行われても、蒸気発生室２２で十分に蒸発され、供水の蒸気噴出孔２１１からの漏れが絶対に発生しない。
【００３８】
そして、加熱手段２３は、アイロン部２の温度が１７０＋２℃の範囲内を超えるとオフになり、そうすると、アイロン部２の温度が段々下がるので、１７０℃の所定の下になると、制御弁５ａが忽ち全閉になると共に、貯水タンク４から中間室５５への供水がさっと止まり、その時から、蒸気発生室２２の温度もアイロン部２の温度に従って低くなるが、蒸気発生室２２への供水が、中間室５７だけに限られ、即ち、蒸気発生室２２への供水の可能な量が半分にしかならないので、蒸気発生室２２への供水はいかに操作輪６３の操作により行われても、蒸気発生室２２で十分に蒸発され、供水の蒸気噴出孔２１１からの漏れが絶対に発生しない。
【００３９】
また、加熱手段２３は、アイロン部２の温度が１４５±２℃まで下がると自動リセットにより再びオンに復帰し、アイロン部２の温度が再度段々上昇する。即ち、スチームアイロンにおける加熱手段２３は、電源がオフに切替えられなければ、いつも１７０＋２℃と１４５±２℃との間で繰返し作業することができる。また、スチームアイロンにおける中間室５５、５７は、前記温度範囲に一つだけ開けられたり二つとも開けられたりし、供水の可能な量を調整して蒸気噴出孔２１１からの漏れを防止することができる。
【００４０】
なお、前記第２のモードは、前記第１のモードと違って、加熱手段２３が、アイロン部２の温度が１３５＋２℃の範囲内を超えるとオフになり、アイロン部２の温度が１１０±２℃まで下がると自動リセットにより再びオンに復帰するように構成されているため、中間室５５及び制御弁５ａが始終機能しないので、蒸気発生室２２への供水は、中間室５７にしかよらない。
【００４１】
即ち、のばし作業中に、加熱手段２３が引き続いて加熱し、且つアイロン部２の温度も上がり続けるので、アイロン部２の温度が１３５＋２℃の範囲内を超えると、制御弁５ｂがバイメタル３ｂの押え片３２を介して拡大された瞬間変形によって全開されると共に、貯水タンク４から中間室５７への供水をし、その時、蒸気発生室２２の温度がアイロン部２の温度上昇に従って１３５＋２℃ほどに高くなるので、中間室５７から蒸気発生室２２への供水はいかに操作輪６３の操作により行われても、蒸気発生室２２で十分に蒸発される。
【００４２】
一方、アイロン部２の温度が１３５＋２℃の範囲内を超えると共に、加熱手段２３がオフになるので、温度がだんだんと下がり、１３５＋２℃の範囲を超すや否やの瞬間、制御弁５ｂが忽ち全閉になると共に、貯水タンク４から中間室５７への供水がさっと止まり、その時から、蒸気発生室２２の温度もアイロン部２の温度に従って低くなるが、蒸気発生室２２への供水が、中間室５７内の残留量だけに限られるので、蒸気発生室２２で十分に蒸発され、供水の蒸気噴出孔２１１からの漏れが絶対に発生しない。
【００４３】
また、加熱手段２３は、アイロン部２の温度が１１０±２℃まで下がると自動リセットにより再びオンに復帰し、アイロン部２の温度が再度段々上昇する。
【００４４】
即ち、スチームアイロンにおける加熱手段２３は、電源がオフに切替えられなければ、いつも１３５＋２℃と１１０±２℃との間で繰返し作業することができる。また、各循環における貯水タンク４から中間室５７への供水は、１３５＋２℃を往復する短時間内に行われるので、蒸気発生室２２への供水可能量は大きく制限され、供水の蒸気噴出孔２１１からの漏れが絶対に発生しない。
【００４５】
以上説明した実施形態は、あくまでも本考案の技術的内容を明らかにする意図のものにおいてなされたものであり、本考案はそうした具体例に限定して狭義に解釈されるものではなく、本考案の精神とクレームに述べられた範囲でいろいろと変更して実施できるものである。
【産業上の利用可能性】
【００４６】
以上説明したようにこの考案によるスチームアイロンは、貯水タンクから蒸気発生室への供水可能量をアイロン部の温度により制限することができるので、供水の蒸気噴出孔からの漏れが絶対に発生しない。
【図面の簡単な説明】
【００４７】
【図１】第１の実施形態の分解斜視図。
【図２】第１の実施形態のバイメタルが変形し始める前の断面図。
【図３】第１の実施形態のバイメタルが既に最大限に変形した後の断面図。
【図４】第２の実施形態の分解斜視図。
【図５】第２の実施形態の下面図。
【図６】第２の実施形態のバイメタルが変形し始める前の断面図。
【図７】第２の実施形態のバイメタルが既に最大限に変形した後の断面図。
【符号の説明】
【００４８】
２…アイロン部、２１…底面、２１１…蒸気噴出孔、２２…蒸気発生室、２３…加熱手段、３…バイメタル手段、３ａ，３ｂ…バイメタル手段、３１，３２…押え片、４…貯水タンク、５…制御弁、５ａ…制御弁、５ｂ…他の制御弁、５１…連通管、５１ａ，５１ｂ…連通管、５１１…中間室への開口、５１１ａ，５１１ｂ…連通管の開口、５３…弾性手段、５４…弁体、５５…中間室、５６…連通ポート、５６１…蒸気発生室への開口、５７…他の中間室、６…開閉弁、６１…操作棒、６２…弁体。
【図１】
0003123390.tif 000003
【図２】
0003123390.tif 000004
【図３】
0003123390.tif 000005
【図４】
0003123390.tif 000006
【図５】
0003123390.tif 000007
【図６】
0003123390.tif 000008
【図７】
0003123390.tif 000009